(57)【要約】  結合スタッドが設けられた表面を有する組立部品６を備える玩具組立。穿孔具結合スタッドは穿孔具表面から延び、これらの結合スタッドは、隣り合った結合スタッド間に相互に固定された距離があるパターンに構成され、玩具組立セットは、穿孔器を更に備え、穿孔具穿孔器が、例えば、紙等のシートに穴を開けることができるように、上記シート等の薄い材料から構成されたシート要素からの材料を穿孔する手段を備え、穿孔具穴は、穿孔具１つ又は複数の結合スタッドを穿孔具開けられた穴に導入できるような広がりを有する。穿孔具穿孔器は穿孔具１４を備え、穿孔具穿孔具が、２つの隣り合った穿孔具の外面間に、穿孔具組立部品の２つの隣り合った結合スタッド間の隙間に対応するか、又はそれよりも小さい隙間があるように互いから或る距離に配置され、例えば紙シートを組立部品に取り付けることができるように上記シートに穴を開けることが可能になる。【選択図】図１
2013540530.tif 000002
【特許請求の範囲】
【請求項１】
少なくとも２つの結合スタッドが設けられた表面を有する少なくとも１つの組立部品を備える玩具組立セットであって、前記結合スタッドは前記表面から延び、これらの結合スタッドは、隣り合った結合スタッド間に相互に固定された距離があるパターンに構成され、該玩具組立セットは穿孔器を更に備え、前記穿孔器が、例えば、紙、プラスチック、又は織物のシートに穴を開けることができるように、前記シート等の薄い材料から構成されたシート要素からの材料を穿孔する手段を備え、前記穴は、１つ又は複数の結合スタッドを前記開けられた穴に導入できるような広がりを有する、玩具組立セットにおいて、前記穿孔器が少なくとも２つの穿孔具を備え、前記穿孔具が、２つの隣り合った穿孔具の外面間に、前記組立部品の２つの隣り合った結合スタッド間の隙間に対応するか、又はそれよりも小さい隙間があるように互いから或る距離に配置されることを特徴とする、玩具組立セット。
【請求項２】
前記穿孔器が、正方形パターンに配置された４つの穿孔具を備えることを特徴とする、請求項１に記載の玩具組立セット。
【請求項３】
前記各穿孔具が、１つのみの結合スタッドを導入可能なような広がりを有する１つの穴を開けるように構成されることを特徴とする、請求項２に記載の玩具組立セット。
【請求項４】
前記結合スタッド及び前記穿孔具の両方が、本質的に同じ直径の円形円筒形断面を有することを特徴とする、請求項３に記載の玩具組立セット。
【請求項５】
前記穿孔器が、前記穿孔具のうちの少なくとも１つを、前記穿孔具のうちの少なくとも他の１つから独立してアクティベートさせる手段を備えることを特徴とする、請求項１又は２に記載の玩具組立セット。
【請求項６】
前記穿孔器が、前記穿孔具のうちの少なくとも２つを同時にアクティベートさせるように構成された１つのシングル手動操作ハンドルを備え、前記操作ハンドル間にスイッチが配置され、前記スイッチは、少なくとも２つの異なる位置、すなわち、前記操作ハンドルが手動操作されると前記穿孔具のうちの１つのみがアクティベートする第１の位置及び前記穿孔具のうちの２つ以上が同時にアクティベートする第２の位置を占めることができるように構成されることを特徴とする、請求項５に記載の玩具組立セット。
【請求項７】
前記穿孔器が合計で４つの穿孔具を備え、前記スイッチが合計で３つの異なる位置、すなわち、１つのみの穿孔具をアクティベート可能な第１の位置、２つのみの穿孔具を同時にアクティベート可能な第２の位置、及び４つ全ての穿孔具を本質的に同時にアクティベートする第３の位置を有することを特徴とする、請求項６に記載の玩具組立セット。
【請求項８】
前記穿孔器が筐体を備え、前記筐体内にはスロットが構成され、前記穿孔具が、前記スロットの横断方向に変位可能なように構成され、前記筐体に幾つかの結合手段が構成され、前記結合手段が、前記筐体を組立部品に取り付けることができるように、前記結合スタッドに対して相補的であることを特徴とする、請求項１〜７のいずれか一項に記載の玩具組立セット。
【請求項９】
例えば、紙、プラスチック、又は織物のシートに穴を開けることができるように、前記シート等の薄い材料から構成されたシート要素からの材料を穿孔する手段を備える、玩具組立セットの穿孔器であって、該穿孔器が２つの穿孔具を備え、各前記穿孔器が断面を有し、前記断面の中心が、２つの前記穿孔具の中心間距離が８ｍｍであるように規定することができ、前記穿孔具の中心から外面への距離が、前記穿孔具の前記外面間の隙間が３．２ｍｍ以下であるように、２．４ｍｍ以上かつ５．６ｍｍ未満であることを特徴とする、穿孔器。
【請求項１０】
例えば、紙、プラスチック、又は織物のシートに穴を開けることができるように、前記シート等の薄い材料から構成されたシート要素からの材料を穿孔する手段を備える、玩具組立セットの穿孔器であって、該穿孔器が２つの穿孔具を備え、各前記穿孔器が断面を有し、前記断面の中心が、前記２つの穿孔具の中心間距離が１６ｍｍであるように規定することができ、前記穿孔具の中心から外面への距離が、前記穿孔具の前記外面間の隙間が６．４ｍｍ以下であるように、４．８ｍｍ以上かつ１１．２ｍｍ未満であることを特徴とする、穿孔器。
【発明の詳細な説明】
【技術分野】
【０００１】
本発明は、少なくとも２つの結合スタッドが配置された表面を有する少なくとも１つの組立部品を備える玩具組立セットであって、結合スタッドは表面から延び、これらの結合スタッドは、隣り合った結合スタッド間に相互に固定された距離があるパターンに構成され、玩具組立セットは穿孔器を更に備え、上記穿孔器が、例えば、紙、プラスチック、又は織物のシートに穴を開けることができるように、シート等の薄い材料から構成されたシート要素からの材料を穿孔する手段を備え、穴は、１つ又は複数の結合スタッドを開けられた穴に導入できるような広がりを有する、玩具組立セットに関する。
【０００２】
本発明は、穿孔器それ自体にも関する。
【背景技術】
【０００３】
［関連技術の記載］
今日、紙、フォイル、織物、及び他のシート材料に穴を開ける穿孔器が多くの構成において知られている。そのような穿孔器は、組立部品の結合スタッドの使用により相互接続された複数の組立部品の使用により所与の構造物を組立するために、上述した種類の玩具組立セットと併せて使用することができ、そのような構造には、穿孔器により、１つ又は複数の穴が開けられた場合、紙シート及び同様のシート材料を取り付けることができ、紙シートが所与の組立部品の結合スタッドに取り付けられた後、別の組立部品が同じ結合スタッドに取り付けられた場合、所与の組立部品の結合スタッドに紙シートを効率的に固定可能なように、その穴を通して結合スタッドを導入することができる。
【０００４】
玩具組立セットは多くの場合、２つ以上の結合スタッドを有する組立部品を含み、今日、テンプレートが関連付けられた穿孔器が知られており、テンプレートを穿孔器とともに使用して、個々の穴が、組立部品の２つの隣り合った結合スタッドの間隔と同じ相互間隔で開けられることを保証することができる。
【発明の概要】
【発明が解決しようとする課題】
【０００５】
これに鑑みて、本発明の目的は、玩具組立セットの一部を形成する組立部品のうちの幾つかから組立られた所与の構造物に例えば紙シートを続いて容易に取り付けられるように、そのシートに穴をはるかに容易に開ける玩具組立セットを提供することである。
【課題を解決するための手段】
【０００６】
これは、前記穿孔器が少なくとも２つの穿孔具を備え、前記穿孔具が、２つの隣り合った穿孔具の外面間に、前記組立部品の２つの隣り合った結合スタッド間の隙間に対応するか、又はそれよりも小さい隙間があるように互いから或る距離に配置されるという点で達成される。
【０００７】
それにより、所与の数の結合スタッドを有する組立部品にシートをはるかに容易に取り付けることが可能なように、少なくとも２つの穴を正確な相互距離で同時に開けることができることが可能になる。
【０００８】
本発明の好ましい実施形態により、穿孔器は、正方形パターンに配置された４つの穿孔具を備える。それにより、１回の同じ操作で、４つの結合スタッドを有する組立部品を同じパターンで容易に配置することができるように、精密に正確な距離で４つの穴を開けることが可能である。
【０００９】
この点で、「正方形パターン」という用語は、穴及び結合スタッドが正方形の角に配置されることを示すことを意図するが、同じ原理を、穴及び結合スタッドが矩形、台形、三角形、又は別のパターンの角に配置される場合に適用することもできる。
【００１０】
穿孔器は、穿孔器の個々の各穿孔具が、穿孔器により穿孔可能な各穴において２つ以上の結合スタッドを導入可能な広がりを有するように構成されるように構成することが可能である。しかし、好ましい実施形態によれば、穿孔具は、穿孔器により穿孔可能な穴の数が、組立部品の結合スタッドの数に正確に対応するように、１つのみの結合スタッドを穴に導入できるような広がりの穴を精密に開けるように構成される。
【００１１】
この点で、前記結合スタッド及び前記穿孔具の両方が、本質的に同じ直径を有する円形円筒形断面を有することが好都合である。
【００１２】
好ましい実施形態によれば、穿孔器には、同じ操作において穿孔される穴の数を必要に応じて変更可能なように、穿孔具のうちの少なくとも１つを、穿孔具のうちの少なくとも１つの他の穿孔具から独立してアクティベートさせる手段が更に提供される。
【００１３】
このため、前記穿孔器が、前記穿孔具のうちの少なくとも２つを同時にアクティベートさせることができるように構成された１つのシングル手動操作ハンドルを備えることが有利であるとすることができ、前記操作ハンドル間にスイッチが配置され、前記スイッチは、少なくとも２つの異なる位置、すなわち、前記操作ハンドルの手動操作によって前記穿孔具のうちの１つのみがアクティベートする第１の位置及び前記穿孔具のうちの２つ以上が同時にアクティベートする第２の位置を占めることができるように構成される。
【００１４】
更に好ましい実施の形態によれば、前記穿孔器が合計で４つの穿孔具を備え、前記スイッチが合計で３つの異なる位置、すなわち、１つのみの穿孔具をアクティベート可能な第１の位置、２つのみの穿孔具を同時にアクティベート可能な第２の位置、及び４つ全ての穿孔具を本質的に同時にアクティベートする第３の位置を有する。
【００１５】
前記シートの前記開けられた穴の正確な位置付けを容易にするように、好ましい実施の形態では、前記穿孔器が筐体を備え、前記筐体内にはスロットが構成され、前記穿孔具が、前記スロットの横断方向に変位可能なように構成され、前記筐体に幾つかの結合手段が構成され、前記結合手段が、前記筐体を組立部品に取り付けることができるように、前記結合スタッドに対して相補的であることを特徴とする。
【００１６】
穿孔器が既知の玩具組立セットにおける使用に適している本発明の好ましい実施の形態によれば、該穿孔器が２つの穿孔具を備え、各前記穿孔器が断面を有し、前記断面の中心が、２つの前記穿孔具の中心間距離が８ｍｍであるように規定することができ、前記穿孔具の中心から外面への距離が、前記穿孔具の前記外面間の隙間が３．２ｍｍ以下であるように、２．４ｍｍ以上かつ５．６ｍｍ未満である。
【００１７】
穿孔器が既知の玩具組立セットにおける使用に適している本発明の更に好ましい実施の形態によれば、該穿孔器が２つの穿孔具を備え、各前記穿孔器が断面を有し、前記断面の中心が、２つの前記穿孔具の中心間距離が１６ｍｍであるように規定することができ、前記穿孔具の中心から外面への距離が、前記穿孔具の前記外面間の隙間が６．４ｍｍ以下であるように、４．８ｍｍ以上かつ１１．２ｍｍ未満である。
【図面の簡単な説明】
【００１８】
【図１】上正面から斜めに見た本発明による穿孔器の斜視図である。
【図２】上から斜めに見た本発明による玩具組立セットの組立部品の斜視図である。
【図３】穿孔器の縦断面での、上正面から斜めに見た、図１に示される穿孔器の部分を示す斜視断面図である。
【図４】上正面から斜めにみた、筐体の一番上のカバーが除去された図１に示される穿孔器の斜視図である。
【図５】上背後から斜めに見た、上部カバー、操作ハンドル、及び穴選択器を操作するハンドルが除去された図１に示される穿孔器の斜視図である。
【発明を実施するための形態】
【００１９】
したがって、図１は、本発明による穿孔器１を示し、上記穿孔器１は筐体２を備え、筐体２にはスロット３が構成され、スロット３には、紙、プラスチック、織物、又は他の材料等の（図示されない）薄い材料のシートを導入することができ、穿孔器１は操作ハンドル４を有し、操作ハンドル４は、操作される場合、穿孔器の筐体２に向かう方向において押下され、それにより、幾つかの穿孔具をアクティベートさせ、穿孔具は押し出されて、スロット３を横断してシフトし、それにより、穿孔具が図示されない薄い材料のシートを通って押し出され、穿孔具の数及び構成に応じて１つ又は複数の穴を紙に生成する。
【００２０】
図１に示される穿孔具は、幾つかの別個の穿孔具を有し、第２の操作器具５を更に備え、第２の操作器具５を使用して、操作ハンドル４が押下されると同時にアクティベートされる穿孔具の数を変更する。
【００２１】
本発明の一実施形態によれば、穿孔器は玩具組立システム又は玩具組立セットの一部であり、玩具組立システム又は玩具組立セットにより、例えば、図２に示される種類の幾つかの組立部品又は組立ブロックが意図され、図２は、合計で４つの結合スタッド８が設けられた表面７を有する組立部品６を示す。それにより、穿孔器が、既存の製品での使用に適する別個の製品であることができ、又は幾つかの組立部品とともに販売される器具としてであることができることが当業者には明らかであろう。
【００２２】
さらに、図１に示される組立部品が組立部品の多くの実施形態のうちの１つであり、本発明を、図１に示されるよりも多数若しくは少数の結合スタッド８を有し、任意選択的に図１に示されるもの以外の構成又は相互距離のスタッドを有する組立部品と併せて使用可能なことが当業者には明らかであろう。
【００２３】
示される穿孔器１には、本質的に平らな底面に幾つかの窪み９が設けられ、上記窪みは、それぞれが、組立部品６の結合スタッド８に対して相補的な幾つかの結合手段を形成するように構成され、組立部品に図２に示されるものと同じ形状及び相互距離を有する結合スタッドが設けられている場合、穿孔器を玩具組立セットの組立部品に取り付けることが可能である。穿孔器１が、例えば、図２に示される組立部品６よりも多数の結合スタッド８を有する組立部品又は組立プレートに取り付けられる場合、そのような組立プレートは、シートに幾つかの穴群を正確に相互に位置決めするための一種の穴あけテンプレートとして機能することが可能である。
【００２４】
ここで、図３は、図１に全体的に示された穿孔器と同じ穿孔器１の一部を示す。ここでは、断面で示されるのは主に穿孔器の一番正面の側であり、断面は、筐体２の対称面に対して平行に、僅かに変位して配置される。明らかになるように、操作ハンドル４は、シャフト１１を中心として筐体２に対して軸支され、操作ハンドル４が筐体２の方向に押下されると、操作ハンドル４はピストン１２を選択器盤１３に向けて押下され、選択器盤１３は続けて、穿孔具１４が既知のように、スロット３内にシフトされて穿孔具の下に延びる図示されないシートを通って押されるように、スロット３を横断して下方に穿孔具１４のうちの１つ又は複数を押下する。
【００２５】
本発明の実施形態によれば、操作ハンドル４の押下により同時にアクティベートされる穿孔具１４の数を変更することが可能である。したがって、図４及び図５は、図１に示される穿孔器の一番正面の部分を示し、図４では、図１の筐体２の一部を構成する上部シェルが除去されており、図５では、操作ハンドル４及び第２の操作ハンドル５が更に除去されている。
【００２６】
したがって、本明細書では、第２の操作ハンドル５が、ピストン１２を介して、ここでは幾つかの切り欠きを有する円盤の形態で示される穴選択器１５に接続されることが明らかであり、切り欠きは、穴選択器が図５に示されるように位置決めされた場合に穿孔具１４に向かって押下されるとき、４つ全ての穿孔具１４がスロット３に向かって同時に押下され、このようにして、４つ全ての穿孔具がアクティベートされて、シートに穴を開けるように構成される。
【００２７】
穴選択器１５が続けて反時計回り方向に小さな距離だけ回転すると、穴選択器１５の２つのポインタ１６が４つの穿孔具１４のうちの２つから精密に外され、穴選択器が反時計回り方向に更なる距離だけ回転すると、操作ハンドル４が押下されたとき、４つの穿孔具のうちの１つのみがアクティベートされる位置を占めることが更に可能である。
【００２８】
上述され図面に示された穿孔器とは異なる穿孔器の実施形態を示唆可能なことが当業者には明らかであろう。したがって、本発明の原理は、穿孔器が、互いに向けて押すことができる２つの操作ハンドルを有する一対のトングとして構成される実施形態で使用することもでき、本明細書において提供される４つよりも多数又は少数の穿孔具を提供することが可能である。
【図２】
2013540530.tif 000003
【図１】
2013540530.tif 000004
【図３】
2013540530.tif 000005
【図４】
2013540530.tif 000006
【図５】
2013540530.tif 000007
【国際調査報告】
2013540530.tif 000008
2013540530.tif 000009
2013540530.tif 000010
2013540530.tif 000011
2013540530.tif 000012